(57)【要約】【課題】ガラス扉と中枠との隙間を全く無くすことにより、ガラス扉及び中枠の隙間からピアノ線などの異物を侵入させる所謂ゴト行為を防止するパチンコ機を提供すること。【解決手段】不正防止部材６が、弾性体で製造されることにより、ガラス扉３を閉じた際にガラス扉３と中枠５に挟まれて弾性変形するので、ガラス扉３と中枠５との隙間を全く無くすことにより、ガラス扉３及び中枠５の隙間からピアノ線などの異物を侵入させる所謂ゴト行為を防止することができる。【選択図】  図１
2004275257.tif 000002
【特許請求の範囲】
【請求項１】
中枠と、前記中枠に対して回動可能なガラス扉と、前記ガラス扉を閉じた際に前記ガラス扉と前記中枠の隙間に介在する不正防止部材と、を有するパチンコ機において、
前記不正防止部材が、弾性体で製造されることにより、前記ガラス扉を閉じた際に前記ガラス扉と前記中枠に挟まれて弾性変形すること、を特徴とするパチンコ機。
【請求項２】
請求項１に記載するパチンコ機であって、
前記不正防止部材が、
前記ガラス扉又は前記中枠に取り付けられる固定部と、
前記ガラス扉を閉じた際に前記固定部の外側で前記ガラス扉又は前記中枠に
斜め方向から接触する可動部と、を備えたこと、
を特徴とするパチンコ機。
【請求項３】
請求項２に記載するパチンコ機であって、
前記ガラス扉又は前記中枠に設けられた凹部を備え、
前記不正防止部材の可動部の先端が前記凹部に接触すること、を特徴とするパチンコ機。
【発明の詳細な説明】
【０００１】
【発明の属する技術分野】
本発明は、ガラス扉と中枠の隙間に介在する不正防止部材を有したパチンコ機に関する。
【０００２】
【従来の技術】
従来のパチンコ機では、ガラス扉及び中枠にリブを立て、ガラス扉を閉めると、ガラス扉のリブと中枠のリブとが向かい合うことにより、ガラス扉及び中枠の隙間からピアノ線などの異物を侵入させる所謂ゴト行為を防止するものがある（例えば、特許文献１参照）。
【０００３】
【特許文献１】
特開２００２−２８３２９号公報（第９頁、第２８図）
【０００４】
【発明が解決しようとする課題】
しかしながら、ガラス扉を閉じるためには、ガラス扉のリブは中枠に対して、中枠のリブはガラス扉に対して、それぞれ隙間を確保する必要がある。この点、これらの隙間は、非常に小さくなるように設計されるが、所謂ゴト行為は、このような隙間に対しても行う可能性がある。
【０００５】
そこで、本発明は、上述した点を鑑みてなされたものであり、ガラス扉と中枠との隙間を全く無くすことにより、ガラス扉及び中枠の隙間からピアノ線などの異物を侵入させる所謂ゴト行為を防止するパチンコ機を提供することを課題とする。
【０００６】
【課題を解決するための手段】
この課題を解決するために成された請求項１に係る発明は、中枠と、前記中枠に対して回動可能なガラス扉と、前記ガラス扉を閉じた際に前記ガラス扉と前記中枠の隙間に介在する不正防止部材と、を有するパチンコ機において、前記不正防止部材が、弾性体で製造されることにより、前記ガラス扉を閉じた際に前記ガラス扉と前記中枠に挟まれて弾性変形すること、を特徴としている。
【０００７】
すなわち、本発明のパチンコ機では、不正防止部材が、弾性体で製造されることにより、ガラス扉を閉じた際にガラス扉と中枠に挟まれて弾性変形するので、ガラス扉と中枠との隙間を全く無くすことにより、ガラス扉及び中枠の隙間からピアノ線などの異物を侵入させる所謂ゴト行為を防止することができる。
【０００８】
また、請求項２に係る発明は、請求項１に記載するパチンコ機であって、前記不正防止部材が、前記ガラス扉又は前記中枠に取り付けられる固定部と、前記ガラス扉を閉じた際に前記固定部の外側で前記ガラス扉又は前記中枠に斜め方向から接触する可動部と、を備えたこと、を特徴としている。
【０００９】
すなわち、本発明のパチンコ機において、不正防止部材が、ガラス扉又は中枠に取り付けられる固定部と、ガラス扉を閉じた際に固定部の外側でガラス扉又は中枠に斜め方向から接触する可動部と、を備えれば、外部からピアノ線などの異物を侵入させると、侵入するピアノ線などの異物が不正防止部材の可動部と当接し、不正防止部材の可動部をガラス扉又は中枠に斜め方向から接触させる力として作用するので、不正防止部材の可動部の弾性変形に加えて、不正防止部材の可動部に作用する当該力によって、ガラス扉と中枠との隙間を不正防止部材で全く無くすことを強固なものにすることができる。
【００１０】
また、請求項３に係る発明は、請求項２に記載するパチンコ機であって、前記ガラス扉又は前記中枠に設けられた凹部を備え、前記不正防止部材の可動部の先端が前記凹部に接触すること、を特徴としている。
【００１１】
すなわち、本発明のパチンコ機において、ガラス扉又は中枠に設けられた凹部を備え、不正防止部材の可動部の先端が凹部に接触するようにすれば、外部からピアノ線などの異物を侵入させた場合に、侵入するピアノ線などの異物が不正防止部材の可動部と当接し、不正防止部材の可動部をガラス扉又は中枠に斜め方向から接触させる力として作用すると、不正防止部材の可動部の先端が凹部に係止されるので、ガラス扉と中枠との隙間を不正防止部材で全く無くすことをより強固なものにすることができる。
【００１２】
【発明の実施の形態】
以下、本発明の実施の形態を図面を参照にして説明する。図２に示すように、本実施の形態のパチンコ機１は、ガラス２を設けたガラス扉３が、ヒンジ４によって、回動可能に設けられている。そして、ガラス扉３を外してみると、図３に示すように、中枠５の周囲において、長尺状のゴム製の不正防止部材６が設けられている。尚、図６に、ガラス扉３の正面図を示し、図７に、ガラス扉３の上面図を示す。
【００１３】
この点、不正防止部材６は、図４に示すように、その断面が「く」の字状になっており、長尺状の固定部６Ａと長尺状の可動部６Ｂとが連結された構造を有している。そして、不正防止部材６の固定部６Ａは、図４の模式図で示すように、中枠５に対して固定されるとともに、不正防止部材６の可動部６Ａは、図１０に示すように、ガラス扉３が閉じられると、ガラス扉３と接触する。このとき、不正防止部材６の可動部６Ａは、不正防止部材６の固定部６Ａに対して、パチンコ機１の外側に位置するとともに、ガラス扉３に対して、斜め方向から接触し弾性変形をする。尚、図１に、図１０の模式図を示す。
【００１４】
また、不正防止部材６の可動部６Ａは、図８に示すように、釘１２で中枠５に対して固定されたり、図９に示すように、ピン１１で中枠５に対して固定されたりする。
【００１５】
以上詳細に説明したように、本実施形態のパチンコ機１では、不正防止部材６が、弾性体で製造されることにより、ガラス扉３を閉じた際にガラス扉３と中枠５に挟まれて弾性変形するので、ガラス扉３と中枠５との隙間を全く無くすことにより、ガラス扉３及び中枠５の隙間からピアノ線などの異物を侵入させる所謂ゴト行為を防止することができる。
【００１６】
また、本実施の形態のパチンコ機１では、不正防止部材６が、中枠５に取り付けられる固定部６Ａと、ガラス扉３を閉じた際に固定部６Ａの外側でガラス扉３に斜め方向から接触する可動部６Ｂと、を備えており、外部からピアノ線などの異物を侵入させると、侵入するピアノ線などの異物が不正防止部材６の可動部６Ｂと当接し、不正防止部材６の可動部６Ｂをガラス扉３に斜め方向から接触させる力として作用するので、不正防止部材６の可動部６Ｂの弾性変形に加えて、不正防止部材６の可動部６Ｂに作用する当該力によって、ガラス扉３と中枠５との隙間を不正防止部材６で全く無くすことを強固なものにすることができる。
【００１７】
尚、本発明は上記実施の形態に限定されるものでなく、その趣旨を逸脱しない範囲で様々な変更が可能である。
例えば、本実施の形態のパチンコ機１において、図１１に示すように、ガラス扉３に設けられた凹部７を備えて、不正防止部材６の可動部６Ｂの先端が凹部７に接触するようにすれば、外部からピアノ線などの異物を侵入させた場合に、侵入するピアノ線などの異物が不正防止部材６の可動部６Ｂと当接し、不正防止部材６の可動部６Ｂをガラス扉３に斜め方向から接触させる力として作用すると、不正防止部材６の可動部６Ｂの先端が凹部７に係止されるので、ガラス扉３と中枠５との隙間を不正防止部材６で全く無くすことをより強固なものにすることができる。尚、図５に図１１の模式図を示す。
【００１８】
また、本実施の形態のパチンコ機１では、不正防止部材６が、中枠５に取り付けられる固定部６Ａと、ガラス扉３を閉じた際に固定部６Ａの外側でガラス扉３に斜め方向から接触する可動部６Ｂと、を備えていた。この点、不正防止部材６が、ガラス扉３に取り付けられる固定部６Ａと、ガラス扉３を閉じた際に固定部６Ａの外側で中枠５に斜め方向から接触する可動部６Ｂと、を備えていても、同様な作用・効果を得ることができる。
さらに、この場合には、中枠５に凹部７を設けて、不正防止部材６の可動部６Ｂの先端が凹部７に接触するようにすれば、同様な作用・効果を得ることができる。
【００１９】
【発明の効果】
本発明のパチンコ機では、不正防止部材が、弾性体で製造されることにより、ガラス扉を閉じた際にガラス扉と中枠に挟まれて弾性変形するので、ガラス扉と中枠との隙間を全く無くすことにより、ガラス扉及び中枠の隙間からピアノ線などの異物を侵入させる所謂ゴト行為を防止することができる。
【００２０】
また、本発明のパチンコ機において、不正防止部材が、ガラス扉又は中枠に取り付けられる固定部と、ガラス扉を閉じた際に固定部の外側でガラス扉又は中枠に斜め方向から接触する可動部と、を備えれば、外部からピアノ線などの異物を侵入させると、侵入するピアノ線などの異物が不正防止部材の可動部と当接し、不正防止部材の可動部をガラス扉又は中枠に斜め方向から接触させる力として作用するので、不正防止部材の可動部の弾性変形に加えて、不正防止部材の可動部に作用する当該力によって、ガラス扉と中枠との隙間を不正防止部材で全く無くすことを強固なものにすることができる。
【００２１】
また、本発明のパチンコ機において、ガラス扉又は中枠に設けられた凹部を備え、不正防止部材の可動部の先端が凹部に接触するようにすれば、外部からピアノ線などの異物を侵入させた場合に、侵入するピアノ線などの異物が不正防止部材の可動部と当接し、不正防止部材の可動部をガラス扉又は中枠に斜め方向から接触させる力として作用すると、不正防止部材の可動部の先端が凹部に係止されるので、ガラス扉と中枠との隙間を不正防止部材で全く無くすことをより強固なものにすることができる。
【図面の簡単な説明】
【図１】図２の線Ａ−Ａで切断した模式図である。
【図２】本実施の形態のパチンコ機の正面図である。
【図３】本実施の形態のパチンコ機において、ガラス扉を外した際の正面図である。
【図４】図３の線Ｂ−Ｂで切断した模式図である。
【図５】図２の線Ａ−Ａで切断した模式図であって、その他の実施形態を示した図である。
【図６】本実施の形態のパチンコ機において、ガラス扉の正面図である。
【図７】本実施の形態のパチンコ機において、ガラス扉の上面図である。
【図８】図３の線Ｂ−Ｂで切断した模式図であって、不正防止部材の固定構造を示した図である。
【図９】図３の線Ｂ−Ｂで切断した模式図であって、不正防止部材の固定構造を示した図である。
【図１０】図２の線Ａ−Ａで切断した切断図である。
【図１１】図２の線Ａ−Ａで切断した切断図であって、その他の実施形態を示した図である。
【符号の説明】
１  パチンコ機
５  中枠
３  ガラス扉
６  不正防止部材
６Ａ  固定部
６Ｂ  可動部
７  凹部
【図１】
2004275257.tif 000003
【図２】
2004275257.tif 000004
【図３】
2004275257.tif 000005
【図４】
2004275257.tif 000006
【図５】
2004275257.tif 000007
【図６】
2004275257.tif 000008
【図７】
2004275257.tif 000009
【図８】
2004275257.tif 000010
【図９】
2004275257.tif 000011
【図１０】
2004275257.tif 000012
【図１１】
2004275257.tif 000013